(57)【要約】【課題】自律分散制御対応装置及び自律分散制御非対応装置が混在したネットワークにおいて、自律分散制御非対応装置を中継した自律分散制御によるパス設定を行った場合、設定したパスの状態を認識できるネットワークシステム、通信装置、パス管理方法及びプログラムを提供する。【解決手段】自律分散制御対応装置と、自律分散制御非対応装置とを介した経路である仮想リンクを示す仮想リンク情報に対して、仮想リンクの状態を示す警報情報を対応付けて管理する仮想リンク情報管理手段と、仮想リンクに自律分散制御パスを設定するパス設定手段と、自律分散制御パスから、ＳＯＮＥＴ／ＳＤＨのＰＯＨ情報又はＳＯＨ情報を収集する収集手段と、収集手段により収集されたＰＯＨ情報又はＳＯＨ情報に含まれる警報情報に基づいて、仮想リンク情報管理手段により管理される警報情報の更新を行う更新手段と、を有する自律分散制御対応装置を主な構成とした。【選択図】図１８
2009177599.tif 000002
【特許請求の範囲】
【請求項１】
自律分散制御に対応した自律分散制御対応装置と、自律分散制御に対応していない自律分散制御非対応装置と、ネットワーク管理装置とを備えるネットワークシステムであって、
前記自律分散制御対応装置は、
前記ネットワーク管理装置からの要求に従って、前記自律分散制御対応装置と、前記自律分散制御非対応装置とを介した経路である仮想リンクを示す仮想リンク情報に対して、前記仮想リンクの状態を示す警報情報を対応付けて管理する仮想リンク情報管理手段と、
前記仮想リンクに自律分散制御パスを設定するパス設定手段と、
前記自律分散制御パスから、ＳＯＮＥＴ／ＳＤＨのＰＯＨ情報又はＳＯＨ情報を収集する収集手段と、
前記収集手段により収集されたＰＯＨ情報又はＳＯＨ情報に含まれる警報情報に基づいて、前記仮想リンク情報管理手段により管理される前記警報情報の更新を行う更新手段と、
を有することを特徴とするネットワークシステム。
【請求項２】
前記自律分散制御対応装置は、
前記更新手段による前記警報情報の更新をトリガとして、現在設定している自律分散制御パスを別の自律分散制御パスに切り替えるパス切替手段をさらに有することを特徴とする請求項１記載のネットワークシステム。
【請求項３】
前記パス切替手段は、
前記更新手段によって更新された前記警報情報が障害の発生を示す場合、前記現在設定している自律分散制御パスとは別の迂回パスを算出し、前記自律分散制御パスから前記迂回パスに切り替えることを特徴とする請求項２記載のネットワークシステム。
【請求項４】
前記パス切替手段は、
前記更新手段によって更新された前記警報情報が前記障害の復旧を示す場合、前記迂回パスから、前記障害が発生する前に設定していた自律分散制御パスに切り替えることを特徴とする請求項３記載のネットワークシステム。
【請求項５】
前記自律分散制御対応装置は、
前記ネットワーク管理装置に対して、前記警報情報の更新の内容について通知する通知手段をさらに有することを特徴とする請求項１から４のいずれか１項に記載のネットワークシステム。
【請求項６】
請求項１から５のいずれか１項に記載のネットワークシステムにおいて、自律分散制御対応装置として備えられることを特徴とする通信装置。
【請求項７】
自律分散制御に対応した自律分散制御対応装置と、自律分散制御に対応していない自律分散制御非対応装置とを介した経路である仮想リンクを示す仮想リンク情報に対して、前記仮想リンクの状態を示す警報情報を対応付けて管理する仮想リンク情報管理ステップと、
前記仮想リンクに自律分散制御パスを設定するパス設定ステップと、
前記自律分散制御パスから、ＳＯＮＥＴ／ＳＤＨのＰＯＨ情報又はＳＯＨ情報を収集する収集ステップと、
前記収集ステップにより収集されたＰＯＨ情報又はＳＯＨ情報に含まれる警報情報に基づいて、前記仮想リンク情報管理ステップにより管理される前記警報情報の更新を行う更新ステップと、
を有することを特徴とするパス管理方法。
【請求項８】
前記更新ステップによる前記警報情報の更新をトリガとして、現在設定している自律分散制御パスを別の自律分散制御パスに切り替えるパス切替ステップをさらに有することを特徴とする請求項７記載のパス管理方法。
【請求項９】
前記パス切替ステップでは、
前記更新ステップによって更新された前記警報情報が障害の発生を示す場合、前記現在設定している自律分散制御パスとは別の迂回パスを算出し、前記自律分散制御パスから前記迂回パスに切り替えることを特徴とする請求項８記載のパス管理方法。
【請求項１０】
前記パス切替ステップでは、
前記更新ステップによって更新された前記警報情報が前記障害の復旧を示す場合、前記迂回パスから、前記障害が発生する前に設定していた自律分散制御パスに切り替えることを特徴とする請求項９記載のパス管理方法。
【請求項１１】
前記自律分散制御対応装置及び前記自律分散制御非対応装置を管理するネットワーク管理装置に対して、前記警報情報の更新の内容について通知する通知ステップをさらに有することを特徴とする請求項７から１０のいずれか１項に記載のパス管理方法。
【請求項１２】
自律分散制御対応に対応した自律分散制御対応装置と、自律分散制御に対応していない自律分散制御非対応装置とを介した経路である仮想リンクを示す仮想リンク情報に対して、前記仮想リンクの状態を示す警報情報を対応付けて管理する仮想リンク情報管理処理と、
前記仮想リンクに自律分散制御パスを設定するパス設定処理と、
前記自律分散制御パスから、ＳＯＮＥＴ／ＳＤＨのＰＯＨ情報又はＳＯＨ情報を収集する収集処理と、
前記収集処理により収集されたＰＯＨ情報又はＳＯＨ情報に含まれる警報情報に基づいて、前記仮想リンク情報管理処理により管理される前記警報情報の更新を行う更新処理と、
をコンピュータに実行させることを特徴とするプログラム。
【請求項１３】
前記更新処理による前記警報情報の更新をトリガとして、現在設定している自律分散制御パスを別の自律分散制御パスに切り替えるパス切替処理をさらにコンピュータに実行させることを特徴とする請求項１２記載のプログラム。
【請求項１４】
前記パス切替処理は、
前記更新処理によって更新された前記警報情報が障害の発生を示す場合、前記現在設定している自律分散制御パスとは別の迂回パスを算出し、前記自律分散制御パスから前記迂回パスに切り替える処理であることを特徴とする請求項１３記載のプログラム。
【請求項１５】
前記パス切替処理は、
前記更新処理によって更新された前記警報情報が前記障害の復旧を示す場合、前記迂回パスから、前記障害が発生する前に設定していた自律分散制御パスに切り替える処理であることを特徴とする請求項１４記載のプログラム。
【請求項１６】
前記自律分散制御対応装置及び前記自律分散制御非対応装置を管理するネットワーク管理装置に対して、前記警報情報の更新の内容について通知する通知処理をさらにコンピュータに実行させることを特徴とする請求項１２から１５のいずれか１項に記載のプログラム。
【発明の詳細な説明】
【技術分野】
【０００１】
本発明は、自律分散制御に対応した通信装置及び自律分散制御に対応していない通信装置が混在した環境において、自律分散制御によるパス設定を行うことが可能な、ネットワークシステム、通信装置、パス管理方法及びプログラムに関する。
【背景技術】
【０００２】
自律分散制御によるパス設定・管理に対応したネットワーク（自律分散制御対応ネットワーク）がある。例えば、ＧＭＰＬＳ（General Multi-Protocol Label Switching）、ＡＳＯＮ（Automatically Switched Optical Network）等が挙げられる。この自律分散制御対応ネットワーク上には、自律分散制御によるパス設定・管理に対応した通信装置（ノード。自律分散制御対応装置）が存在する。自律分散制御対応ネットワークの一例を、図１９に示す。図１９に示すように、ネットワーク管理装置（Network Management System。以下、ＮＭＳという）は、設定したいパスの始点となる始点ノードに対してパス設定要求を送る。このパス設定要求に従って、始点ノードから終点ノードまでシグナリングが行われ、パスが設定される。
【０００３】
一方で、自律分散制御によるパス設定・管理に対応していないネットワーク（自律分散制御非対応ネットワーク）として、ＮＭＳからの集中制御によるパス設定・管理がある。この自律分散制御非対応ネットワーク上には、自律分散制御によるパス設定・管理に対応していない通信装置（ノード。自律分散制御非対応装置）が存在する。自律分散制御非対応ネットワークの一例を図２０に示す。図２０に示すように、ＮＭＳは、設定したいパスの経路上の全てのノードに対して、パス設定要求を送る。これをクロスコネクト（Cross Connect：以下、ＸＣという）登録という。全てのノードに対するＸＣ登録が完了すると、パスが設定される。
【０００４】
これら両者を比較すると、自律分散制御によるパス設定・管理は、ＮＭＳからの集中制御によるパス設定・管理に比べて、オペレーションコストの削減や、柔軟なパス経路選択及び障害回復手段の提供などについてメリットがある。
【０００５】
しかし、自律分散制御対応ネットワークと、自律分散制御非対応ネットワークとが混在したネットワーク（例えば特許文献１参照）においては、以下に説明する課題が生じる。
【０００６】
自律分散制御対応ネットワーク上の自律分散制御対応装置は、自律分散制御によるパス設定の特徴的な機能例の一つとして、Full LSP Re-Routing機能（予備切替の一例）を有している。この機能は、障害が発生した場合にその障害を検知し、迂回路を計算し、物理的な回線設定を自動で行える機能である。一方、自律分散制御非対応ネットワーク上の自律分散制御非対応装置は、障害が発生した場合にその障害を検出したアラームを自律分散制御対応装置へ通知する機能を有していない。よって、自律分散制御非対応装置を中継した自律分散制御によるパス設定を行った後で、そのパス上に何らかの障害が発生した場合、自律分散制御対応装置では、発生した障害を認識することができない。従って、自律分散制御対応装置は、Full LSP Re-Routing機能などを実施することができない。このように、自律分散制御対応ネットワークと、自律分散制御非対応ネットワークとが混在したネットワークでは、自律分散制御によるパス設定・管理のメリットを享受することができないという課題がある。
【特許文献１】特開２００６−３５２２９７号公報
【発明の開示】
【発明が解決しようとする課題】
【０００７】
本発明は、上記事情に鑑みてなされたものであり、自律分散制御対応装置及び自律分散制御非対応装置が混在したネットワークにおいて、自律分散制御非対応装置を中継した自律分散制御によるパス設定を行った場合、設定したパスの状態を認識できるネットワークシステム、通信装置、パス管理方法及びプログラムを提供することを目的とする。
【課題を解決するための手段】
【０００８】
かかる目的を達成するために、本発明のネットワークシステムは、自律分散制御に対応した自律分散制御対応装置と、自律分散制御に対応していない自律分散制御非対応装置と、ネットワーク管理装置とを備えるネットワークシステムであって、自律分散制御対応装置は、ネットワーク管理装置からの要求に従って、自律分散制御対応装置と、自律分散制御非対応装置とを介した経路である仮想リンクを示す仮想リンク情報に対して、仮想リンクの状態を示す警報情報を対応付けて管理する仮想リンク情報管理手段と、仮想リンクに自律分散制御パスを設定するパス設定手段と、自律分散制御パスから、ＳＯＮＥＴ／ＳＤＨのＰＯＨ情報又はＳＯＨ情報を収集する収集手段と、収集手段により収集されたＰＯＨ情報又はＳＯＨ情報に含まれる警報情報に基づいて、仮想リンク情報管理手段により管理される警報情報の更新を行う更新手段と、を有することを特徴とする。
【０００９】
本発明の通信装置は、上記本発明のネットワークシステムにおいて、自律分散制御対応装置として備えられることを特徴とする。
【００１０】
本発明のパス管理方法は、自律分散制御に対応した自律分散制御対応装置と、自律分散制御に対応していない自律分散制御非対応装置とを介した経路である仮想リンクを示す仮想リンク情報に対して、仮想リンクの状態を示す警報情報を対応付けて管理する仮想リンク情報管理ステップと、仮想リンクに自律分散制御パスを設定するパス設定ステップと、自律分散制御パスから、ＳＯＮＥＴ／ＳＤＨのＰＯＨ情報又はＳＯＨ情報を収集する収集ステップと、収集ステップにより収集されたＰＯＨ情報又はＳＯＨ情報に含まれる警報情報に基づいて、仮想リンク情報管理ステップにより管理される警報情報の更新を行う更新ステップと、を有することを特徴とする。
【００１１】
本発明のプログラムは、自律分散制御対応に対応した自律分散制御対応装置と、自律分散制御に対応していない自律分散制御非対応装置とを介した経路である仮想リンクを示す仮想リンク情報に対して、仮想リンクの状態を示す警報情報を対応付けて管理する仮想リンク情報管理処理と、仮想リンクに自律分散制御パスを設定するパス設定処理と、自律分散制御パスから、ＳＯＮＥＴ／ＳＤＨのＰＯＨ情報又はＳＯＨ情報を収集する収集処理と、収集処理により収集されたＰＯＨ情報又はＳＯＨ情報に含まれる警報情報に基づいて、仮想リンク情報管理処理により管理される警報情報の更新を行う更新処理と、をコンピュータに実行させることを特徴とする。
【発明の効果】
【００１２】
本発明によれば、自律分散制御対応装置及び自律分散制御非対応装置が混在したネットワークにおいて、自律分散制御非対応装置を中継した自律分散制御パスの状態を認識することが可能となる。よって、自律分散制御によるパスの予備切替や切り戻しなどの対応が可能となる。
【発明を実施するための最良の形態】
【００１３】
以下、本発明を実施するための最良の形態について添付図面を参照して詳細に説明する。
【００１４】
図１に、本発明のネットワークシステムの一実施形態の構成を示す。本発明の想定するネットワークでは、パケットやＴＤＭ（Time Division Multiplexing：時分割多重）、ＷＤＭ（波長多重：Wavelength Division Multiplexing）などの技術によって、エンド・トゥ・エンド（End To End）のパスの障害管理が行われる。また、本発明の想定するネットワークの例としては、ＳＯＮＥＴ／ＳＤＨやＷＤＭ等の装置から構成された光伝送ネットワークや、パスを設定して通信を開始するコネクション型のネットワークが挙げられる。なお、本明細書における「パス設定」とは、設定したいパスの経路上のタイムスロットや波長を予約することを意味する。また、本明細書では、タイムスロットや波長のことを「ラベル」という。
【００１５】
図１において、各通信装置（ノード）ＮＥ２０１〜２０４、ＮＥ１０１〜１０３は、ラベル（タイムスロット、波長等）の情報に基づいて、ＸＣ又はスイッチングを実施する。各通信装置間は、１本又はそれ以上のリンク（光ファイバ）ＬＫ３０１〜３０８で接続されている。また、各通信装置ＮＥ２０１〜２０４、ＮＥ１０１及びＮＥ１０３と、ＮＭＳ１とは、マネージメントリンクＭＬ１〜６で接続されている。
【００１６】
図１において、ＮＥ１０１〜１０３はＧＭＰＬＳ対応装置（以下、通信装置又は自律分散制御対応装置という）であり、ＮＥ２０１〜２０４はＧＭＰＬＳ非対応装置（以下、通信装置又は自律分散制御非対応装置という）である。また、ＮＥ１０１〜ＮＥ１０３は自律分散制御対応ネットワークに存在し、一方、ＮＥ２０１〜２０４は自律分散制御非対応ネットワークに存在する。このように、本実施形態のネットワークシステムは、自律分散制御対応ネットワークと、自律分散制御非対応ネットワークとが混在した環境である。
【００１７】
ＮＭＳ１は、各通信装置に対してパスの設定・切断要求を行う機能、自律分散制御対応装置に対して仮想リンク登録を行う機能、仮想リンクに警報状態（後述する）を対応付ける機能を有する。ＮＭＳ１は、オペレータ（作業者）とネットワークとのインターフェースとなるシステム（ネットワーク管理装置）である。ＮＭＳ１と各通信装置はマネージメントリンクＭＬ１〜６で接続され、これらマネージメントリンクＭＬ１〜６を介して各通信装置の設定を行う。
【００１８】
図１に示す自律分散制御対応ネットワークは、ＧＭＰＬＳ、ＡＳＯＮ等の自律分散制御に対応した自律分散制御対応装置であるＮＥ１０１〜１０３から構成されるネットワークである。この自律分散制御対応ネットワーク内でパスを設定する場合、各通信装置ＮＥ１０１〜１０３は、オペレータの指示に従い自律分散的に経路制御及びシグナリングを実行し、各通信装置のラベル予約・スイッチ設定を行い、指定された始点・終点通信装置間のパスを設定する。
【００１９】
図１に示す自律分散制御非対応ネットワークは、ＧＭＰＬＳ、ＡＳＯＮ等の自律分散制御に対応していない自律分散制御非対応装置であるＮＥ２０１〜ＮＥ２０４から構成されたネットワークである。この自律分散制御非対応ネットワーク内でパスを設定する場合、オペレータは、パスを構成するリソース（ポートやタイムスロット等）を全て指定し、ＮＭＳ１を介して経路上の全通信装置に、スイッチ設定を実施する。全ての通信装置のＸＣ登録が完了した時点でパス設定が完了する。
【００２０】
図２は、各通信装置（ＮＥ１０１、ＮＥ１０３、ＮＥ２０１〜ＮＥ２０４）のリンク（ＬＫ）とラベル（ＬＢ）を詳細に表した図である。ラベルは、パスが利用するリソースの識別子である。また、図２では、仮想リンク及びＸＣ登録の例を示しているが、これらについては後述する。
【００２１】
図３は、自律分散制御対応装置（ＮＥ１０１〜１０３）の機能構成を示すブロック図である。自律分散制御対応装置（ＮＥ１０１〜１０３）は、仮想リンク情報管理表１０と、仮想リンク処理部２０と、コマンド処理部３０と、自律分散制御既存機能４０と、回線設定既存機能５０と、伝送路６０とを有する。これらの詳細については以下に説明する。
【００２２】
仮想リンク情報管理表１０は、仮想リンク情報を記憶するための表である（仮想リンク情報管理手段）。
【００２３】
仮想リンク処理部２０は、ＮＭＳ１からの要求に従い仮想リンクを生成する。また、仮想リンク処理部２０は、仮想リンクに使用しているリンク又はパスに障害が発生したとき、警報情報を仮想リンクに割り当て、更新する（更新手段）。
【００２４】
コマンド処理部３０は、自律分散制御対応装置を制御するメッセージをＮＭＳ１間と送信、受信する。また、自律分散制御対応装置が管理する情報に変更があった際には、コマンド処理部３０は、ＮＭＳ１に向けてその情報を通知する（通知手段）。
【００２５】
自律分散制御既存機能４０は、シグナリング、ルーティング、リンク管理、予備回線切替・切り戻し等等を行う。自律分散制御既存機能４０は、リンク情報管理表４１、自律分散制御メッセージ処理部４２、警報状態処理部４３、リソース情報処理部４４、リソース予約処理部４５を有する。これら各部について以下に説明する。
【００２６】
リンク情報管理表４１は、ネットワークリソースを管理している。障害が発生したときには、その障害に該当するリンクを使用不可にする処理が行われる（パス設定手段の一部）。
【００２７】
自律分散制御メッセージ処理部４２は、自律分散制御機能のメッセージを処理する。隣接しているノードとネットワークリソース情報の交換、隣接ノードとの自律分散制御によるパス設定メッセージの送信／受信（パス設定手段の一部）、回線切替メッセージの送信／受信（パス切替手段の一部）などを行う。
【００２８】
警報状態処理部４３は、自律分散制御機能のために使用する警報を管理する。この警報によって回線切替を要求する。
【００２９】
リソース情報処理部４４は、リンク情報管理表４１を更新し、ネットワーク中のノード、リンク、ラベルの情報を処理する（パス設定手段の一部）。
【００３０】
リソース予約処理部４５は、自律分散制御のパスを設定／解除する要求を自装置の回線設定部と隣接ノードに送信する機能を持つ（パス設定手段の一部）。
【００３１】
回線設定既存機能５０は、ＳＯＮＥＴ／ＳＤＨ（Synchronous Optical NETwork/Synchronous Digital Hierarchy）回線を制御する既存機能である。回線設定既存機能５０は、警報監視部５１、回線設定部５２を有する。これら各部について以下に説明する。
【００３２】
警報監視部５１は、伝送路６０上の警報情報を監視する。すなわち、警報監視部５１は、警報情報が含まれるＳＯＮＥＴ／ＳＤＨのＳＯＨ（Section OverHead）又はＰＯＨ（Path OverHead）を収集する（収集手段）。
【００３３】
回線設定部５２は、自律分散制御既存機能４０の要求により、伝送路６０の設定を行う（パス設定手段の一部、パス切替手段の一部）。
【００３４】
伝送路６０は、光ファイバーと接続インターフェースから構成される、伝送信号の送信及び受信を行う。また、伝送信号のオーバーヘッド（ＯＨ）中には伝送路の状態に関する警報情報が含まれている。
【００３５】
図４は、ＮＭＳ１の機能構成を示すブロック図である。ＮＭ１は、ＮＭＳ既存機能に加えて、仮想リンク情報（ＮＭＳ）管理表と、仮想リンク（ＮＭＳ）処理部とを有する。これらの詳細については後述する。
【００３６】
図５は、図４に示すＮＭＳ１の仮想リンク情報（ＮＭＳ）管理表の一例を示す図である。仮想リンク情報（ＮＭＳ）管理表は、仮想リンクを示す仮想リンク情報を管理する手段である。これにより、ＮＭＳ１は仮想リンクを管理することができる。仮想リンク情報（ＮＭＳ）管理表は、図５に示すように、仮想リンクＩＤと、警報情報とが対応付けられている。警報情報は、仮想リンクの状態を示す情報である。この警報情報は、自律分散制御の従来機能となる、「ＳＤ」（Signal Degrade：信号劣化）、「ＳＦ」（Signal Failure：信号不良）、「ＯＫ」（ＳＤやＳＦなどの障害無し）の３値をとる。図５では、例として、仮想リンクＶＬ４０１に障害が発生していない状態を示している。また、仮想リンク情報（ＮＭＳ）管理表は、図５に示すように、仮想リンクとして登録された経路についての経路情報を持つ。各経路情報（１）〜（６）は、ノード識別子、リンクＩＤ、ラベル（実使用のラベル情報）を持つ。このように、本実施形態のＮＭＳ１は、各経路情報に警報情報を対応付けることによって、仮想リンクを元に設定されるパス上で発生する障害の変化を管理することができる。
【００３７】
図６は、図３に示す自律分散制御対応装置が有する、リンク情報管理表４１及び仮想リンク情報管理表１０の一例をそれぞれ示す図である。リンク情報管理表４１は、自律分散制御既存機能４０に含まれる機能であり、リンクＩＤ、隣接ノードＩＤ、警報情報を持つ。仮想リンク情報管理表１０は、仮想リンクを示す仮想リンク情報を管理する手段である。仮想リンク情報管理表１０は、仮想リンクごとに、実使用リンクＩＤ、実使用ラベル、隣接ノードＩＤ、警報情報を持つ。この仮想リンク情報管理表１０により、仮想リンク処理部２０は、仮想リンクを管理することができ、リンク情報管理表４１にある仮想リンクを登録・変更することができる。このように、本実施形態の自律分散制御対応装置は、リンク情報管理表及び仮想リンク情報管理表において、警報情報を対応付けることによって、仮想リンクを元に設定されるパス上で発生する障害の変化を管理することができる。
【００３８】
次に、図１及び図７を参照して、図１に示すネットワークシステムにおいて、仮想リンクを使用して自律分散制御パスを設定する動作について詳細に説明する。以下の説明では、例として、自律分散制御非対応ネットワーク上に仮想リンク（ＮＥ２０１−ＮＥ２０４−ＮＥ２０３）を登録し、登録した仮想リンクを利用して、ＮＥ１０１とＮＥ１０３との間で自律分散制御パスを設定する場合について説明する。
【００３９】
まず、仮想リンクの登録が行われる。仮想リンクとは、自律分散制御対応装置が自律分散制御非対応ネットワークの帯域資源を扱うことを目的としたリンクであり、論理的リンクであるTE Linkのことである。TE Linkは、所定のノード間の複数のリンクを１つのリンクとして見なしたり、または、例えば「ノードＡ−ノードＢ−ノードＣ」のように複数のノードを経由する回線を１つのリンクと見なしたりする。
【００４０】
図１において、ＮＭＳ１は、自律分散制御非対応ネットワーク上のＮＥ２０１、ＮＥ２０４、ＮＥ２０３に対してＸＣ登録を行い、パス（ＮＥ２０１−ＮＥ２０４−ＮＥ２０３）を設定する（図７のステップＳ１）。このとき、ＮＭＳ１は、ＮＥ２０１、ＮＥ２０４、ＮＥ２０３のリンクとラベルを指定する。ＸＣ登録が行われた状態を図２に示す。
【００４１】
そして、ＮＭＳ１は、設定したパス（ＮＥ２０１−ＮＥ２０４−ＮＥ２０３）を仮想リンクＶＬ４０１として、図４に示す仮想リンク情報（ＮＭＳ）管理表に登録する（図７のステップＳ２）。仮想リンクの登録が行われた状態を図５に示す。図５に示すように、仮想リンク情報（ＮＭＳ）管理表において、仮想リンクＩＤ「ＶＬ４０１」と、警報情報「ＯＫ」とが対応付けられている。また、仮想リンクＩＤ「ＶＬ４０１」には、仮想リンクＶＬ４０１を構成する各経路の経路情報（１）〜（６）が対応付けられている。各経路情報（１）〜（６）は、ノード識別子、リンクＩＤ、ラベル（実使用のラベル情報）が対応付けられている。図５において、例えば、経路情報（１）は、仮想リンクの始点となるリンク（ＬＫ３０３）を示しており、経路情報（６）は、仮想リンクの終点となるリンク（ＬＫ３０８）を示している。このようにして、ＮＭＳ１は、自律分散制御非対応ネットワークに設定されたパス（ＮＥ２０１−ＮＥ２０４−ＮＥ２０３）を、仮想リンク（ＮＥ１０１−ＮＥ２０１−ＮＥ２０４−ＮＥ２０３−ＮＥ１０３）として管理する。
【００４２】
ＮＭＳ１は、自律分散制御対応装置ＮＥ１０１及びＮＥ１０３に対して、上記仮想リンク情報（図５）及び隣接ノードＩＤを指定して送信し、仮想リンクＶＬ４０１の登録要求を行う（図７のステップＳ３）。ＮＥ１０１に送信する隣接ノードＩＤは、仮想リンクの終点である「ＮＥ１０３」となり、ＮＥ１０３に送信する隣接ノードＩＤは、仮想リンクの始点である「ＮＥ１０１」となる。なお、ＮＭＳ１が自律分散制御非対応のパスやＸＣを管理する方法に関しては、本発明とは直接関係しないので、その詳細な構成の説明は省略する。
【００４３】
自律分散制御対応装置ＮＥ１０１及びＮＥ１０３は、ＮＭＳ１から仮想リンク登録要求、仮想リンク情報及び隣接ノードＩＤを受信すると、仮想リンクＶＬ４０１の登録を行う（図７のステップＳ４）。以下の説明では、例として、図３に示すＮＥ１０１の仮想リンクの登録を説明するが、ＮＥ１０３においても、以下の説明と同様に仮想リンクの登録を行う。
【００４４】
コマンド処理部３０は、ＮＭＳ１から、仮想リンク登録要求、仮想リンク情報及び隣接ノードＩＤを受信する。次に、コマンド処理部３０は、受信した仮想リンク情報（ノード識別子、リンクＩＤ、ラベル）に従ってパスを設定するように、回線設定部５２に対して要求する。このとき、コマンド処理部３０は、ＮＭＳ１から受信した仮想リンク情報を回線設定部５２に送る。
【００４５】
回線設定部５２は、パス設定の要求を受けると、それと同時に受信した仮想リンク情報（ノード識別子、リンクＩＤ、ラベル）に従って、伝送路６０に伝送信号を導通させる設定を行う。
【００４６】
次に、コマンド処理部３０は、ＮＭＳ１から受信した仮想リンク情報及び隣接ノードＩＤに基づいて仮想リンク情報管理表１０を作成するように、仮想リンク処理部２０に対して要求する。このとき、コマンド処理部３０は、ＮＭＳ１から受信した仮想リンク情報及び隣接ノードＩＤを仮想リンク処理部２０に送る。
【００４７】
仮想リンク処理部２０は、仮想リンク情報管理表１０の作成要求を受けると、それと同時に受信した仮想リンク情報及び隣接ノードＩＤに基づき、リンクＩＤ、ラベル、隣接ノードＩＤ、警報情報を対応付けて記録する。これにより、仮想リンク情報管理表１０が作成され、仮想リンクＶＬ４０１が登録される。このときの仮想リンク情報管理表１０を図６の下段に示す。
【００４８】
次に、仮想リンク処理部２０は、リンクを登録するように、リソース情報処理部４４に対して要求する。このとき、仮想リンク処理部２０は、仮想リンク情報及び隣接ノードＩＤをリソース情報処理部４４に送る。
【００４９】
リソース情報処理部４４は、リンク登録の要求を受けると、それと同時に受信した仮想リンク情報及び隣接ノードＩＤに基づいて、リンク情報管理表４１に、リンクＩＤ（仮想リンクＩＤ）、隣接ノードＩＤ、警報情報を対応付けて記録する。これにより、仮想リンクＶＫ４０１がリンクとして登録される。このときのリンク情報管理表４１を図６の上段に示す。なお、リンク情報管理表４１への記録の際、合計帯域幅や残帯域幅を記録するようにしてもよい。
【００５０】
このようにして、自律分散制御対応装置ＮＥ１０１及びＮＥ１０３は、自律分散制御非対応ネットワークに設定されたパス（ＮＥ２０１−ＮＥ２０４−ＮＥ２０３）を、仮想リンク（ＮＥ１０１−ＮＥ２０１−ＮＥ２０４−ＮＥ２０３−ＮＥ１０３）として管理できるようになる。すなわち、仮想リンクの両端点ノード（ＮＥ１０１、ＮＥ１０３）において、リンク情報管理表に記録された仮想リンクＶＬ４０１は、通常のリンク（物理的に接続されたリンク）と同様に、自律分散制御ネットワーク内で広告され、経路計算に用いられる。
【００５１】
ＮＥ１０１及びＮＥ１０３における仮想リンクの登録後、自律分散制御パスの設定が行われる。ＮＭＳ１は、オペレータが設定したいパス（ＮＥ１０１〜ＮＥ１０３間、ラベルの個数は２個）の始点となる自律分散制御対応装置（例として、ＮＥ１０１）に対して、自律分散制御パス設定の要求を送信する（図７のステップＳ５）。この自律分散制御パス設定要求には、パスの終点ノードや帯域幅等の情報が含まれる。自律分散制御パス設定要求を受信したＮＥ１０１は、通常の自律分散制御の仕組み（図１９参照）により経路計算及びシグナリングを実施し、ＮＥ１０１−ＮＥ２０２−ＮＥ２０４−ＮＥ２０３−ＮＥ１０３の自律分散制御パスを設定する（図７のステップＳ６）。これにより、図１に示すように、自律分散制御パスＰＴ５０１が開通する。以下、図３に示すＮＥ１０１における自律分散制御パスの設定について詳細に説明する。
【００５２】
コマンド処理部３０は、ＮＭＳ１から、仮想リンクＶＬ４０１を利用した自律分散制御パス設定の要求、及び、その自律分散制御パスに関する情報を受信する。この自律分散制御パスに関する情報は、設定区間（例えば、ＮＥ１０１〜ＮＥ１０３間）や使用するラベルの数（例えば、２個）などを含む設定情報である。そして、コマンド処理部３０は、設定情報に基づいて自律分散制御パスを設定するように、リソース予約処理部４５に対して要求する。このとき、コマンド処理部３０は、設定情報もリソース予約処理部４５に送る。
【００５３】
リソース予約処理部４５は、自律分散制御パス設定の要求を受けると、仮想リンクＶＬ４０１が利用可能であるかどうかをリソース情報処理部４４に問い合わせる。
【００５４】
リソース情報処理部４４は、問い合せを受けると、リンク情報管理表４１を参照し、仮想リンクＶＬ４０１が利用可能であるかを認識する。リンク情報管理表４１において、仮想リンクＶＬ４０１が登録されており、かつ、警報情報が「ＯＫ」であれば、リソース情報処理部４４は、仮想リンクＶＬ４０１が利用可能であると認識する。なお、ここでは、図６の上段に示すように、リンク情報管理表４１には、仮想リンクＶＬ４０１が登録されており、かつ、警報情報が「ＯＫ」である。よって、リソース情報処理部４４は、仮想リンクＶＬ４０１が利用可能であると認識する。そして、リソース情報処理部４４は、仮想リンクＶＬ４０１が利用可能である旨をリソース予約処理部４５に返答する。
【００５５】
リソース予約処理部４５は、仮想リンクＶＬ４０１が利用可能である旨の返答を受けると、自律分散制御メッセージ処理部４２に対して、自律分散制御パス設定の要求を送る。このとき、リソース予約処理部４５は、設定情報も自律分散制御メッセージ処理部４２に送る。
【００５６】
自律分散制御メッセージ処理部４２は、自律分散制御パス設定の要求を受けると、それと同時に受信した設定情報に基づいて自律分散制御パスを設定するように、経路上で隣接しているＮＥ１０３に要求する。
【００５７】
次に、リソース予約処理部４５は、回線設定部５２に対して、回線設定要求を行う。
【００５８】
回線設定部５２は、回線設定要求を受けると、伝送路６０に対して、回線設定を行う。これにより、図１に示すように、自律分散制御パスＰＴ５０１が開通する。
【００５９】
このようにして、自律分散制御対応装置と、自律分散制御非対応装置とが混在したネットワークにおいて、自律分散制御によるパス設定を行うことができる。よって、自律分散制御対応装置及び自律分散制御非対応装置が混在したネットワークであっても、自律分散制御によるパス設定のメリットとして、例えば、オペレーションコストの削減や、柔軟なパス経路選択及び障害回復手段の提供などについてのメリットを享受することができる。その理由は、ＮＭＳが自律分散制御非対応装置に設定したパスを仮想リンクとして扱う機構を持つためであり、また、自律分散制御対応装置がこの仮想リンクを一般のリンクとして扱う機構を持つためである。
【００６０】
次に、図１に示すネットワークシステムにおいて、設定された仮想リンクＶＬ４０１（自律分散制御パスＰＴ５０１）上で障害が発生した場合の動作（本発明のパス管理方法）について詳細に説明する。
【００６１】
〔第１の実施形態〕
まず、第１の実施形態として、例えば、ＮＥ１０１とＮＥ２０１の間のリンクＬＫ３０３に障害（例として、ＳＦ）が発生した場合について説明する。
【００６２】
まず、仮想リンク情報に対応する警報情報の更新動作（パス管理方法の一例）について、図８を参照して説明する。例えばリンクＬＫ３０３に障害が発生した場合、図３に示す自律分散制御対応装置ＮＥ１０１において、図８に示す警報情報の更新動作が行われる。
【００６３】
警報監視部５１は、伝送路６０（仮想リンクＶＬ４０１に設定された自律分散制御パスＰＴ５０１）の警報情報をSection OverHead（ＳＯＨ）から収集している。警報監視部５１は、ＳＯＨから、ノード間に設定されている光ファイバ単位で情報を収集することができる。例えば、ＬＫ３０３に障害ＳＦが発生すると、ＳＯＨにはＬＫ３０３はＳＦであるという情報に変更される。警報監視部５１は、収集したＳＯＨ情報から、ＬＫ３０３がＳＦであることを認識（検知）する（図８のステップＳ１１）。そして、警報監視部５１は、仮想リンク処理部２０に対して、リンクＩＤ「ＬＫ３０３」と警報情報「ＳＦ」を通知する。これにより、リンクＬＫ３０３にＳＦが発生していることが仮想リンク処理部２０に通知される。なお、ここで通知されるリンクＩＤ及び警報情報は、ＳＯＮＥＴ／ＳＤＨのＳＯＨ（Section OverHead）に含まれる障害に関する情報（既存リンクアラームともいう）である。
【００６４】
次に、仮想リンク処理部２０は、通知されたリンクＩＤと警報情報に基づき、仮想リンク情報管理表１０を更新する（図８のステップＳ１２）。すなわち、仮想リンク処理部２０は、図６に示す仮想リンク情報管理表において、通知されたリンクＩＤ「ＬＫ３０３」を用いて、障害が発生した仮想リンクを特定する。ここでは、特定される仮想リンクは「ＶＬ４０１」となる。そして、仮想リンク処理部２０は、図６に示す仮想リンク情報管理表において、特定した仮想リンク「ＶＬ４０１」に対応付けられている警報情報「ＯＫ」を「ＳＦ」に更新する。更新した後の仮想リンク情報管理表の状態を図１０の下段に示す。
【００６５】
なお、仮想リンク処理部２０は、仮想リンク情報管理表の更新において、警報監視部５１から通知された既存リンクアラームを、自律分散制御対応装置ＮＥ１０１が認識可能な障害に関する情報（ＧＭＰＬＳアラームともいう）に置き換える。このＧＭＰＬＳアラームは、ＯＳＰＦ（Open Shortest Path First）のＬＳＤＢ（Link State Data Base）の更新や回線の切替トリガなどになる。このようにして、自律分散制御対応装置ＮＥ１０１は、仮想リンクＶＬ４０１にて障害「ＳＦ」が発生したことを認識する。
【００６６】
次に、仮想リンク処理部２０は、警報状態処理部４３に対して、仮想リンクＶＬ４０１の警報情報をＳＦに変更したことを通知する（図８のステップＳ１３）。
【００６７】
次に、警報状態処理部４３は、リソース情報処理部４４及びリソース予約処理部４５に対して、仮想リンクＶＬ４０１の警報情報がＳＦに変更されたことを通知する（図８のステップＳ１４）。
【００６８】
次に、リソース情報処理部４４は、図６の上段に示すリンク情報管理表において、リンクＩＤ「ＶＬ４０１」に対応付けられている警報情報「ＯＫ」を「ＳＦ」に更新する（図８のステップＳ１５）。更新した後のリンク情報管理表の状態を図１０の上段に示す。
【００６９】
次に、リソース情報処理部４４は、自律分散制御メッセージ処理部４２に対して、ＶＬ４０１の警報情報がＳＦであることを通知する（図８のステップＳ１６）。
【００７０】
次に、自律分散制御メッセージ処理部４２は、自律分散制御対応ネットワーク上の全てのノードに対して、ＶＬ４０１の警報情報がＳＦであることを通知する（図８のステップＳ１７）。ここでは、ＮＥ１０１が、ＮＥ１２０及びＮＥ１０３に対して通知することになる。
【００７１】
次に、仮想リンク処理部２０は、コマンド処理部３０に対して、ＶＬ４０１の警報情報がＳＦであることを通知するように要求する（図８のステップＳ１８）。
【００７２】
次に、コマンド処理部３０は、通知要求を受けると、ＮＭＳ１に対して、ＶＬ４０１の警報情報がＳＦであることを通知する（図８のステップＳ１９）。ここでは、コマンド処理部３０は、仮想リンク情報更新要求、及び、仮想リンクＩＤ「ＶＬ４０１」、リンクＩＤ「ＬＫ３０３」、警報情報「ＳＦ」等を送信する。
【００７３】
図４に示すＮＭＳ１において、仮想リンク（ＮＭＳ）処理部は、自律分散制御対応装置ＮＥ１０１から受信したリンクＩＤ「ＬＫ３０３」及び警報情報「ＳＦ」に基づいて、仮想リンク情報（ＮＭＳ）管理表を更新する。すなわち、仮想リンク（ＮＭＳ）処理部は、図５に示す仮想リンク情報（ＮＭＳ）管理表において、仮想リンクＩＤ「ＶＬ４０１」を用いて、障害が発生した仮想リンクを特定する。ここでは、特定される仮想リンクは「ＶＬ４０１」となる。そして、仮想リンク（ＮＭＳ）処理部は、仮想リンクＩＤ「ＶＬ４０１」に対応付けられている警報情報「ＯＫ」を「ＳＦ」に変更する。更新した後の仮想リンク情報（ＮＭＳ）管理表を図９に示す。
【００７４】
このようにして、自律分散制御対応装置及び自律分散制御非対応装置が混在したネットワークにおいて、自律分散制御非対応装置を中継した自律分散制御パスにおける障害の発生を認識することが可能となる。
【００７５】
次に、図８に示す動作に続く動作例として、パスの予備切替動作（パス管理方法の一例）について図１１及び図１２を参照して説明する。なお、本明細書でいう「予備切替」とは、図７で説明したパス設定方法により設定された自律分散制御パスから、別の自律分散制御パス（予備系の迂回パス。例えば、ＮＥ１０１−ＮＥ１０２−ＮＥ１０３）へ切り替える動作を示す。言い換えれば、「障害発生前に設定されたパスから、障害発生後に設定されるパスへ切り替える」ことである。
【００７６】
自律分散制御対応装置ＮＥ１０１はパスの予備切替を実施するが、自律分散制御パスＰＴ５０１の予備切替を行うときに求められる条件は、始点がＮＥ１０１であること、終点がＮＥ１０３であること、使用するラベルの個数が２個であることになる。よって、ＮＥ１０１は、ＮＥ１０１を始点、ＮＥ１０３を終点、使用ラベルの個数を２個として、迂回路の計算を実施する。その結果、ＮＥ１０１−ＮＥ１０２−ＮＥ１０３の経路が見出される。ＮＥ１０１は、この経路を使用してシグナリングを行い、迂回パスとなる自律分散制御パス（ＮＥ１０１−ＮＥ１０２−ＮＥ１０３）の設定を行う。この自律分散制御パス（ＮＥ１０１−ＮＥ１０２−ＮＥ１０３）は、障害「ＳＦ」が発生している間、迂回パスとして使用される。
【００７７】
リソース予約処理部４５は、図７で説明したように、設定済みの自律分散制御パスＰＴ５０１に障害ＳＦが発生していることを、警報状態処理部４３からの通知によって認識している。そこで、リソース予約処理部４５は、自律分散制御パスＰＴ５０１を予備系（迂回パス）へ切り替えることを試みる。
【００７８】
まず、リソース予約処理部４５は、「始点をＮＥ１０１とし、終点をＮＥ１０３とし、使用するラベルが２個」を条件とする自律分散制御パスの経路を、リソース情報処理部４４に問い合わせる（図１１のステップＳ３１）。
【００７９】
次に、リソース情報処理部４４は、自律分散制御ネットワーク内のリソースを管理しているリンク情報管理表４１を参照して、条件に見合う経路を計算する。その結果、リソース情報処理部４４は、図１２に示すように、ＮＥ１０２、リンクＬＫ３０１、ＬＫ３０２、ラベルＬ１、Ｌ２を使用して、ＮＥ１０１−ＮＥ１０２−ＮＥ１０３の経路が利用可能であるという結果を得る。そして、リソース情報処理部４４は、算出した経路を示す経路情報をリソース予約処理部４５へ送信する（図１１のステップＳ３２）。
【００８０】
次に、リソース予約処理部４５は、自律分散制御メッセージ処理部４２に対して、経路情報を送るとともに、その経路情報に基づいて自律分散制御パス（迂回パス）を設定する要求を送る（図１１のステップＳ３３）。
【００８１】
次に、自律分散制御メッセージ処理部４２は、経路情報が示す経路上で隣接しているＮＥ１０２に対して、経路情報に基づいて自律分散制御パス（迂回パス）を設定する要求（図１９に示すパス設定メッセージ）を送信する（図１１のステップＳ３４）。なお、ＮＥ１０２は、ＮＥ１０３にパス設定メッセージを送信する。
【００８２】
次に、リソース予約処理部４５は、回線設定部５２に対して、回線設定要求を送る（図１１のステップＳ３５）。
【００８３】
次に、回線設定部５２は、伝送路６０（ここでは、経路情報が示す経路）に回線を設定する（図１１のステップＳ３６）。
【００８４】
次に、リソース予約処理部４５は、コマンド処理部３０に対して、設定済みの自律分散制御パスＰＴ５０１が予備の迂回パス（ＮＥ１０１−ＮＥ１０２−ＮＥ１０３）に切り替わった旨を示す通知情報をＮＭＳ１へ送信するように要求する（図１１のステップＳ３７）。
【００８５】
次に、コマンド処理部３０は、ＮＭＳ１に対して、設定済みの自律分散制御パスＰＴ５０１が予備の迂回パス（ＮＥ１０１−ＮＥ１０２−ＮＥ１０３）に切り替わった旨を示す通知情報をＮＭＳ１へ送信する（図１１のステップＳ３８）。
【００８６】
このようにして、予め設定された自律分散制御パスから、別の自律分散制御パス（予備系の迂回パス）へ切り替えることができる。
【００８７】
次に、障害が復旧したときの警報情報の更新動作（パス管理方法の一例）について、図１３を参照して詳細に説明する。リンクＬＫ３０３に発生した障害「ＳＦ」が復旧した場合、図３に示す自律分散制御対応装置ＮＥ１０１において、図１３に示す警報情報の更新動作が行われる。
【００８８】
図８の説明で述べたように、警報監視部５１は、伝送路６０（仮想リンクＶＬ４０１に設定された自律分散制御パスＰＴ５０１）の警報情報をSection OverHead（ＳＯＨ）から収集している。警報監視部５１は、ＳＯＨから、ノード間に設定されている光ファイバ単位で情報を収集することができる。例えば、ＬＫ３０３に障害ＳＦが復旧すると、ＳＯＨにはＬＫ３０３はＯＫであるという情報に変更される。警報監視部５１は、収集したＳＯＨ情報から、ＬＫ３０３がＯＫであることを認識（検知）する（図１３のステップＳ２１）。そして、警報監視部５１は、仮想リンク処理部２０に対して、リンクＩＤ「ＬＫ３０３」と警報情報「ＯＫ」を通知する。これにより、リンクＬＫ３０３に発生していたＳＦが復旧したことが仮想リンク処理部２０に通知される。なお、ここで通知されるリンクＩＤ及び警報情報は、ＳＯＮＥＴ／ＳＤＨのＳＯＨ（Section OverHead）に含まれる障害に関する情報（既存リンクアラームともいう）である。
【００８９】
次に、仮想リンク処理部２０は、通知されたリンクＩＤと警報情報に基づき、仮想リンク情報管理表１０を更新する（図１３のステップＳ２２）。すなわち、仮想リンク処理部２０は、図１０に示す仮想リンク情報管理表において、通知されたリンクＩＤ「ＬＫ３０３」を用いて、障害が発生した仮想リンクを特定する。ここでは、特定される仮想リンクは「ＶＬ４０１」となる。そして、仮想リンク処理部２０は、図１０に示す仮想リンク情報管理表において、特定した仮想リンク「ＶＬ４０１」に対応付けられている警報情報「ＳＦ」を「ＯＫ」に更新する。更新した後の仮想リンク情報管理表の状態を図６の下段に示す。
【００９０】
なお、仮想リンク処理部２０は、仮想リンク情報管理表の更新において、警報監視部５１から通知された既存リンクアラームを、自律分散制御対応装置ＮＥ１０１が認識可能な障害に関する情報（ＧＭＰＬＳアラームともいう）に置き換える。このＧＭＰＬＳアラームは、ＯＳＰＦ（Open Shortest Path First）のＬＳＤＢ（Link State Data Base）の更新や回線の切替トリガなどになる。このようにして、自律分散制御対応装置ＮＥ１０１は、仮想リンクＶＬ４０１にて障害「ＳＦ」が復旧「ＯＫ」したことを認識する。
【００９１】
次に、仮想リンク処理部２０は、警報状態処理部４３に対して、仮想リンクＶＬ４０１の警報情報をＯＫに変更したことを通知する（図１３のステップＳ２３）。
【００９２】
次に、警報状態処理部４３は、リソース情報処理部４４及びリソース予約処理部４５に対して、仮想リンクＶＬ４０１の警報情報がＯＫに変更されたことを通知する（図１３のステップＳ２４）。
【００９３】
次に、リソース情報処理部４４は、図１０の上段に示すリンク情報管理表において、リンクＩＤ「ＶＬ４０１」に対応付けられている警報情報「ＳＦ」を「ＯＫ」に更新する（図１３のステップＳ２５）。更新した後のリンク情報管理表の状態を図６の上段に示す。
【００９４】
次に、リソース情報処理部４４は、自律分散制御メッセージ処理部４２に対して、ＶＬ４０１の警報情報がＯＫであることを通知する（図１３のステップＳ２６）。
【００９５】
次に、自律分散制御メッセージ処理部４２は、自律分散制御対応ネットワーク上の全てのノードに対して、ＶＬ４０１の警報情報がＯＫであることを通知する（図１３のステップＳ２７）。ここでは、ＮＥ１０１が、ＮＥ１２０及びＮＥ１０３に対して通知することになる。
【００９６】
次に、仮想リンク処理部２０は、コマンド処理部３０に対して、ＶＬ４０１の警報情報がＯＫであることを通知するように要求する（図１３のステップＳ２８）。
【００９７】
次に、コマンド処理部３０は、通知要求を受けると、ＮＭＳ１に対して、ＶＬ４０１の警報情報がＯＫであることを通知する（図１３のステップＳ２９）。ここでは、コマンド処理部３０は、仮想リンク情報更新要求、及び、仮想リンクＩＤ「ＶＬ４０１」、リンクＩＤ「ＬＫ３０３」、警報情報「ＯＫ」等を送信する。
【００９８】
図４に示すＮＭＳ１において、仮想リンク（ＮＭＳ）処理部は、自律分散制御対応装置ＮＥ１０１から受信したリンクＩＤ「ＬＫ３０３」及び警報情報「ＯＫ」に基づいて、仮想リンク情報（ＮＭＳ）管理表を更新する。すなわち、仮想リンク（ＮＭＳ）処理部は、図９に示す仮想リンク情報（ＮＭＳ）管理表において、仮想リンクＩＤ「ＶＬ４０１」を用いて、障害が発生した仮想リンクを特定する。ここでは、特定される仮想リンクは「ＶＬ４０１」となる。そして、仮想リンク（ＮＭＳ）処理部は、仮想リンクＩＤ「ＶＬ４０１」に対応付けられている警報情報「ＳＦ」を「ＯＫ」に変更する。更新した後の仮想リンク情報（ＮＭＳ）管理表を図５に示す。
【００９９】
このようにして、自律分散制御対応装置及び自律分散制御非対応装置が混在したネットワークにおいて、自律分散制御非対応装置を中継した自律分散制御パス上における障害の復旧を認識することが可能となる。
【０１００】
次に、図１３に示す動作に続く動作例として、自律分散制御対応装置ＮＥ１０１は、パスの切り戻し動作（パス管理方法の一例）を行う。なお、本明細書でいう「切り戻し」とは、図１１で説明したパスの予備切替により設定された自律分散制御パス（迂回パス）から、図７で説明したパス設定方法により設定された自律分散制御パスへ切り替える動作を示す。言い換えれば、「障害発生後に設定されたパスから、障害発生前に設定されたパスへ切り替える」ことである。また、パスの切り戻し動作は、図７のステップＳ６における自律分散制御パスの設定の動作と同様であるので、ここでの説明は省略する。
【０１０１】
このようにして、障害発生後に設定された迂回パス（ＮＥ１０１−ＮＥ１０２−ＮＥ１０３）から、障害発生前に設定されていた自律分散制御パスＰＴ５０１へ切り戻すことができる。
【０１０２】
以上説明したように、本実施形態の自律分散制御対応装置は、仮想リンク情報に警報状態（警報情報）を対応付けする機能を有する。よって、本実施形態の自律分散制御対応装置は、自律分散制御対応装置と、自律分散制御非対応装置とが混在したネットワークにおいて、自律分散制御非対応ネットワークの状態（障害の発生や復旧）を管理することができる。よって、自律分散制御による予備切替・切り戻しが可能となる。
【０１０３】
〔第２の実施形態〕
上記第１の実施形態の説明では、自装置ＮＥ１０１に直接接続されているリンクＬＫ３０３の警報情報を通知していた。以下に説明する例では、第２の実施形態として、パス障害の警報状態を管理する。なお、以下の説明では、例として、図１に示すネットワークシステムにおいて、ＮＥ２０１とＮＥ２０４の間のリンクＬＫ３０７に障害（例として、ＳＤ）が発生した場合について説明する。
【０１０４】
ＳＤは信号品質が劣化していることを意味する。一般にＳＦと比較して、障害の重要性は低いものになっているため、回線にＳＤが発生したときでも回線を切り替えない設定もある。ここではＳＤ発生でも、ＳＦ発生のときと同様に回線の切り替えを行うことを前提としている。
【０１０５】
本実施形態では、警報監視部５１は伝送路６０からPath OverHead（ＰＯＨ）の警報情報を収集する。まず、図１を用いて一般的なＰＯＨからの警報情報の収集方法について説明する。リンクはそれぞれ２本の物理回線(光ファイバ等)で構成されている。これは上がりと下りの両方向の通信をするためである。ＰＯＨの警報情報は受信側でのみ検出することができ、警報情報の範囲はその受信側より上流側の回線に限られている。ＬＫ３０７のＮＥ２０４からＮＥ２０１方向の回線で障害が発生した例をとる。ＮＥ２０１は回線品質が劣化していることを認識し、ＶＬ４０１で使用しているパスのＰＯＨの警報情報にＳＤを付加する。このＰＯＨ情報はより下流にあるＮＥ１０１に転送される。これにより、ＮＥ１０１の警報監視部５１は、ＬＫ３０３のＬＢ１，ＬＢ２を使用しているパス、すなわち、ＬＫ３０３，ＬＫ３０７，ＬＫ３０６，ＬＫ３０８のいずれかに障害ＳＤが発生していることを認識する。
【０１０６】
まず、仮想リンク情報に対応する警報情報の更新動作（パス管理方法の一例）について、図１４を参照して説明する。例えばリンクＬＫ３０７に障害が発生した場合、図３に示す自律分散制御対応装置ＮＥ１０１において、図１４に示す警報情報の更新動作が行われる。
【０１０７】
警報監視部５１は、伝送路６０（仮想リンクＶＬ４０１に設定された自律分散制御パスＰＴ５０１）の警報情報をＰＯＨから収集している。上述したように、例えば、ＬＫ３０７のＮＥ２０４からＮＥ２０１方向の回線で障害ＳＤが発生したとする。ＮＥ２０１は回線品質が劣化していることを認識し、ＶＬ４０１で使用しているパスのＰＯＨの警報情報にＳＤを付加する。このＰＯＨ情報はより下流にあるＮＥ１０１に転送される。これにより、ＮＥ１０１の警報監視部５１は、ＬＫ３０３のＬＢ１，ＬＢ２を使用しているパス（すなわち、ＬＫ３０３，ＬＫ３０７，ＬＫ３０６，ＬＫ３０８のいずれか）に障害ＳＤが発生していることを認識（検知）する（図１４のステップＳ４１）。そして、警報監視部５１は、仮想リンク処理部２０に対して、リンクＩＤ「ＬＫ３０３」、ラベル情報「ＬＢ１，ＬＢ２」、警報情報「ＳＤ」を通知する。これにより、リンクＬＫ３０３のＬＢ１，ＬＢ２を使用しているパスにＳＤが発生していることが仮想リンク処理部２０に通知される。なお、ここで通知されるリンクＩＤ、ラベル情報及び警報情報は、ＳＯＮＥＴ／ＳＤＨのＰＯＨに含まれる障害に関する情報（既存パスアラームともいう）である。
【０１０８】
次に、仮想リンク処理部２０は、通知されたリンクＩＤ、ラベル情報「ＬＢ１，ＬＢ２」、警報情報に基づき、仮想リンク情報管理表１０を更新する（図１４のステップＳ４２）。すなわち、仮想リンク処理部２０は、図６に示す仮想リンク情報管理表において、通知されたリンクＩＤ「ＬＫ３０３」及びラベル情報「ＬＢ１，ＬＢ２」を用いて、障害が発生した仮想リンクを特定する。ここでは、特定される仮想リンクは「ＶＬ４０１」となる。そして、仮想リンク処理部２０は、図６に示す仮想リンク情報管理表において、特定した仮想リンク「ＶＬ４０１」に対応付けられている警報情報「ＯＫ」を「ＳＤ」に更新する。更新した後の仮想リンク情報管理表の状態を図１６の下段に示す。
【０１０９】
なお、仮想リンク処理部２０は、仮想リンク情報管理表の更新において、警報監視部５１から通知された既存パスアラームを、自律分散制御対応装置ＮＥ１０１が認識可能な障害に関する情報（ＧＭＰＬＳアラームともいう）に置き換える。このＧＭＰＬＳアラームは、ＯＳＰＦ（Open Shortest Path First）のＬＳＤＢ（Link State Data Base）の更新や回線の切替トリガなどになる。このようにして、自律分散制御対応装置ＮＥ１０１は、仮想リンクＶＬ４０１にて障害「ＳＤ」が発生したことを認識する。
【０１１０】
次に、仮想リンク処理部２０は、警報状態処理部４３に対して、仮想リンクＶＬ４０１の警報情報をＳＤに変更したことを通知する（図１４のステップＳ４３）。
【０１１１】
次に、警報状態処理部４３は、リソース情報処理部４４及びリソース予約処理部４５に対して、仮想リンクＶＬ４０１の警報情報がＳＤに変更されたことを通知する（図１４のステップＳ４４）。
【０１１２】
次に、リソース情報処理部４４は、図６の上段に示すリンク情報管理表において、リンクＩＤ「ＶＬ４０１」に対応付けられている警報情報「ＯＫ」を「ＳＤ」に更新する（図１４のステップＳ４５）。更新した後のリンク情報管理表の状態を図１６の上段に示す。
【０１１３】
次に、リソース情報処理部４４は、自律分散制御メッセージ処理部４２に対して、ＶＬ４０１の警報情報がＳＤであることを通知する（図１４のステップＳ４６）。
【０１１４】
次に、自律分散制御メッセージ処理部４２は、自律分散制御対応ネットワーク上の全てのノードに対して、ＶＬ４０１の警報情報がＳＤであることを通知する（図１４のステップＳ４７）。ここでは、ＮＥ１０１が、ＮＥ１２０及びＮＥ１０３に対して通知することになる。
【０１１５】
次に、仮想リンク処理部２０は、コマンド処理部３０に対して、ＶＬ４０１の警報情報がＳＤであることを通知するように要求する（図１４のステップＳ４８）。
【０１１６】
次に、コマンド処理部３０は、通知要求を受けると、ＮＭＳ１に対して、ＶＬ４０１の警報情報がＳＤであることを通知する（図１４のステップＳ４９）。ここでは、コマンド処理部３０は、仮想リンク情報更新要求、及び、仮想リンクＩＤ「ＶＬ４０１」、リンクＩＤ「ＬＫ３０３」、警報情報「ＳＤ」等を送信する。
【０１１７】
図４に示すＮＭＳ１において、仮想リンク（ＮＭＳ）処理部は、自律分散制御対応装置ＮＥ１０１から受信したリンクＩＤ「ＬＫ３０３」及び警報情報「ＳＦ」に基づいて、仮想リンク情報（ＮＭＳ）管理表を更新する。すなわち、仮想リンク（ＮＭＳ）処理部は、図５に示す仮想リンク情報（ＮＭＳ）管理表において、仮想リンクＩＤ「ＶＬ４０１」を用いて、障害が発生した仮想リンクを特定する。ここでは、特定される仮想リンクは「ＶＬ４０１」となる。そして、仮想リンク（ＮＭＳ）処理部は、仮想リンクＩＤ「ＶＬ４０１」に対応付けられている警報情報「ＯＫ」を「ＳＤ」に変更する。更新した後の仮想リンク情報（ＮＭＳ）管理表を図１５に示す。
【０１１８】
このようにして、自律分散制御対応装置及び自律分散制御非対応装置が混在したネットワークにおいて、自律分散制御非対応装置を中継した自律分散制御パス上における障害の発生を認識することが可能となる。すなわち、本実施形態の自律分散制御対応装置は、自装置に直接接続されているリンクの障害だけではなく、自律分散制御非対応ネットワーク上の状態（パス障害の発生）も管理できる。
【０１１９】
なお、上述した図１４の動作の後に行われる各動作は、上記第１の実施形態と同様に行うことが可能である。すなわち、本実施形態でも、図１４の動作の後に、パスの予備切替動作、ＳＤが復旧したときの警報情報更新動作、ＳＤが復旧したときのパスの切り戻し動作を行うことができる。これらの動作は、上記第１の実施形態で説明した動作と同様であるので、ここでの説明は省略する。
【０１２０】
〔第３の実施形態〕
これまでの説明では、図１において、登録する仮想リンクをＶＬ４０１の１つのみとしたが、本実施形態のネットワークシステムでは、複数の仮想リンクを登録し、複数の自律分散制御パスを設定することも可能である。複数の仮想リンクを登録した場合の例について以下に説明する。
【０１２１】
例えば、図１７に示すネットワークシステムにおいて、上述した仮想リンクＶＬ４０１に加えて、別の仮想リンクＶＬ４０２を登録する。ＮＭＳ１、ＮＥ１０１及びＮＥ１０４は、図７で説明した方法を用いて、仮想リンクＶＬ４０２（ＮＥ１０１−ＮＥ２０１−ＮＥ２０２−ＮＥ１０４）を登録する。そして、仮想リンクＶＬ４０２に自律分散制御パスＰＴ５０２が設定される。これにより、図１７のネットワークシステムにおいて、ＶＬ４０１と、ＶＬ４０２の２つの仮想リンクが登録されることになる。
【０１２２】
ここで、これら２つの仮想リンクＶＬ４０１、ＶＬ４０２に共通するリンクＬＫ３０３において、障害が発生したとする。このとき、自律分散制御対応装置ＮＥ１０１は、リンクＬＫ３０３の障害を検知することになるが、２つの仮想リンクＶＬ４０１、ＶＬ４０２に障害が発生したと見なす。よって、自律分散制御対応装置ＮＥ１０１は、２つの仮想リンクＶＬ４０１、ＶＬ４０２（自律分散制御パスＰＴ５０１、ＰＴ５０２）に対して、上記第１の実施形態で説明した、警報情報更新動作、パスの予備切替動作、切り戻し動作等のパス管理方法を行う。
【０１２３】
〔第４の実施形態〕
上記各実施形態では、本発明の通信装置である自律分散制御対応装置ＮＥ１０１について、図３に示す構成で説明したが、図１８（ａ）に示す構成のみでもよい。図１８（ａ）に示すように、ＮＥ１０１は、仮想リンク情報管理手段７０と、パス設定手段７１と、収集手段７２と、更新手段７３とを有すればよい。これら各手段は、図３に示す以下の各部に相当する。仮想リンク情報管理手段７０は、仮想リンク情報管理表１０に相当する。パス設定手段７１は、リンク情報管理表４１、自律分散制御メッセージ処理部４２、リソース情報処理部４４、リソース予約処理部４５、回線設定部５２に相当する。収集手段７２は、警報監視部５１に相当する。更新手段７３は、仮想リンク処理部２０に相当する。
【０１２４】
図１８（ａ）に示す構成において、図１８（ｂ）に示すパス管理方法が以下のように行われる。仮想リンク情報管理手段７０は、ネットワーク管理装置（ＮＭＳ１）からの要求に従って、自律分散制御対応装置と、自律分散制御非対応装置とを介した経路である仮想リンクを示す仮想リンク情報に対して、仮想リンクの状態を示す警報情報を対応付けて管理する（ステップＳ５１）。パス設定手段７１は、仮想リンクに自律分散制御パスを設定する（ステップ５Ｓ５２）。収集手段７２は、自律分散制御パスから、ＳＯＮＥＴ／ＳＤＨのＰＯＨ情報又はＳＯＨ情報を収集する（ステップＳ５３）。収集手段７２により収集されたＰＯＨ情報又はＳＯＨ情報に含まれる警報情報に基づいて、仮想リンク情報管理手段により管理される警報情報の更新を行う（ステップＳ５４）。
【０１２５】
以上説明したように、本実施形態によれば、自律分散制御対応装置及び自律分散制御非対応装置が混在したネットワークにおいて、自律分散制御非対応装置を中継した自律分散制御パスの状態を認識することが可能となる。よって、自律分散制御によるパスの予備切替や切り戻しなどの対応が可能となる。
【０１２６】
以上、本発明の実施形態について説明したが、上記実施形態に限定されるものではなく、その要旨を逸脱しない範囲において種々の変形が可能である。
【０１２７】
例えば、上述した実施形態における各制御動作（図７、図８、図１１、図１３、図１４及び図１８（ｂ）を用いて説明した動作）は、ハードウェア、または、ソフトウェア、あるいは、両者の複合構成によって実行することも可能である。
【０１２８】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【０１２９】
例えば、プログラムは、記録媒体としてのハードディスクやＲＯＭ（Read Only Memory）に予め記録しておくことが可能である。
【０１３０】
あるいは、プログラムは、フロッピー（登録商標）ディスク、ＣＤ−ＲＯＭ（Compact Disc Read Only Memory），ＭＯ（Magneto optical）ディスク，ＤＶＤ（Digital Versatile Disc）、磁気ディスク、半導体メモリなどのリムーバブル記録媒体に、一時的、あるいは、永続的に格納（記録）しておくことが可能である。
【０１３１】
このようなリムーバブル記録媒体は、いわゆるパッケージソフトウエアとして提供することが可能である。
【０１３２】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【０１３３】
また、上記実施形態で説明した処理動作に従って時系列的に実行されるのみならず、処理を実行する装置の処理能力、あるいは、必要に応じて並列的にあるいは個別に実行するように構築することも可能である。
【０１３４】
また、上記実施形態で説明したシステムは、複数の装置の論理的集合構成にしたり、各装置の機能を混在させたりするように構築することも可能である。
【図面の簡単な説明】
【０１３５】
【図１】本発明の実施形態に係るネットワークシステムの構成の一例を示す図である。
【図２】本発明の実施形態に係る各通信装置のリンク（ＬＫ）とラベル（ＬＢ）の一例を詳細に示す図である。
【図３】本発明の実施形態に係る通信装置（自律分散制御対応装置）の構成を示す図である。
【図４】本発明の実施形態に係るネットワーク管理装置の構成を示す図である。
【図５】本発明の実施形態に係るネットワーク管理装置が有する、仮想リンク情報（ＮＭＳ）管理表の一例を示す図である。
【図６】本発明の実施形態に係る自律分散制御対応装置が有する、リンク情報管理表及び仮想リンク情報管理表の一例を示す図である。
【図７】本発明の実施形態に係る仮想リンクの登録及び自律分散制御パス設定の動作を示すフローチャートである。
【図８】本発明の実施形態に係る、障害（ＳＦ）が発生したときの警報情報更新の動作を示すフローチャートである。
【図９】本発明の実施形態に係るネットワーク管理装置が有する、仮想リンク情報（ＮＭＳ）管理表の一例を示す図である。
【図１０】本発明の実施形態に係る自律分散制御対応装置が有する、リンク情報管理表及び仮想リンク情報管理表の一例を示す図である。
【図１１】本発明の実施形態に係るパスの予備切替の動作を示すフローチャートである。
【図１２】本発明の実施形態に係る各通信装置のリンク（ＬＫ）とラベル（ＬＢ）の一例を詳細に示す図である。
【図１３】本発明の実施形態に係る、障害が復旧したときの警報情報更新の動作を示すフローチャートである。
【図１４】本発明の実施形態に係る、障害（ＳＤ）が発生したときの警報情報更新の動作を示すフローチャートである。
【図１５】本発明の実施形態に係るネットワーク管理装置が有する、仮想リンク情報（ＮＭＳ）管理表の一例を示す図である。
【図１６】本発明の実施形態に係る自律分散制御対応装置が有する、リンク情報管理表及び仮想リンク情報管理表の一例を示す図である。
【図１７】本発明の実施形態に係るネットワークシステムの構成の一例を示す図である。
【図１８】（ａ）は、本発明の実施形態に係る自律分散制御対応装置の最小限の構成を示す図であり、（ｂ）は、本発明の実施形態に係るパス管理方法の最小限の構成を示す図である。
【図１９】自律分散制御に対応した通信装置から構成されるネットワークの一例を示す図である。
【図２０】自律分散制御に非対応の通信装置から構成されるネットワークの一例を示す図である。
【符号の説明】
【０１３６】
ＮＭＳ１    ネットワーク管理装置
ＮＥ１０１、ＮＥ１０２、ＮＥ１０３、ＮＥ１０４    自律分散制御対応装置（通信装置、ノード）
ＮＥ２０１、ＮＥ２０２、ＮＥ２０３、ＮＥ２０４    自律分散制御非対応装置（通信装置、ノード）
ＬＫ３０１、ＬＫ３０２、ＬＫ３０３、ＬＫ３０４、ＬＫ３０５、ＬＫ３０６、ＬＫ３０７、ＬＫ３０８、ＬＫ３０９    リンク（光ファイバ）
ＭＬ１、ＭＬ２、ＭＬ３、ＭＬ４、ＭＬ５、ＭＬ６、ＭＬ７    マネージメントリンク
ＰＴ５０１、ＰＴ５０２    自律分散制御パス
ＶＬ４０１、ＶＬ４０２    仮想リンク
１０    仮想リンク情報管理表
２０    仮想リンク処理部
３０    コマンド処理部
４０    自律分散制御既存機能
４１    リンク情報管理表
４２    自律分散制御メッセージ処理部
４３    警報状態処理部
４４    リソース情報処理部
４５    リソース予約処理部
５０    回線設定既存機能
５１    警報監視部
５２    回線設定部
６０    伝送路
７０    仮想リンク情報管理手段
７１    パス設定手段
７２    収集手段
７３    更新手段
【図１】
2009177599.tif 000003
【図２】
2009177599.tif 000004
【図３】
2009177599.tif 000005
【図４】
2009177599.tif 000006
【図５】
2009177599.tif 000007
【図６】
2009177599.tif 000008
【図７】
2009177599.tif 000009
【図８】
2009177599.tif 000010
【図９】
2009177599.tif 000011
【図１０】
2009177599.tif 000012
【図１１】
2009177599.tif 000013
【図１２】
2009177599.tif 000014
【図１３】
2009177599.tif 000015
【図１４】
2009177599.tif 000016
【図１５】
2009177599.tif 000017
【図１６】
2009177599.tif 000018
【図１７】
2009177599.tif 000019
【図１８】
2009177599.tif 000020
【図１９】
2009177599.tif 000021
【図２０】
2009177599.tif 000022